(57)【要約】【課題】ペン先１の出長さＤのバラツキを抑え、筆記感や筆記具先端部の外観性を損なうことを防止する。【解決手段】筆記具本体３の前端部に設けた取付孔２にペン先１を圧入保持してなるペン先取付構造に関する。ペン先１の外面が、大径部１１と、該大径部１１の後方に設けた小径部１２と、該大径部１１と該小径部１２との間に設けた外段部１３とを備える。取付孔２の内面が、大径孔部２１と、該大径孔部２１の後方に設けた小径孔部２２と、該大径孔部２１と該小径孔部２２との間に設けた内段部２３とを備える。前記ペン先１の前記取付孔２への圧入保持が完了した際、前記外段部１３と前記内段部２３との間に軸方向の隙間Ｃを設け、前記外段部１３と前記内段部２３とを非当接状態にする。【選択図】  図１
2004230686.tif 000002
【特許請求の範囲】
【請求項１】
筆記具本体の前端部に設けた取付孔にペン先を圧入保持してなるペン先取付構造であって、ペン先の外面が、大径部と、該大径部の後方に設けた小径部と、該大径部と該小径部との間に設けた外段部とを備え、取付孔の内面が、大径孔部と、該大径孔部の後方に設けた小径孔部と、該大径孔部と該小径孔部との間に設けた内段部とを備え、前記ペン先の前記取付孔への圧入保持が完了した際、前記外段部と前記内段部との間に軸方向の隙間を設け、前記外段部と前記内段部とを非当接状態にしてなるペン先取付構造。
【請求項２】
前記隙間が０．１ｍｍ〜１．０ｍｍの範囲である請求項１記載のペン先取付構造。
【発明の詳細な説明】
【０００１】
【発明の属する技術分野】
本発明は、筆記具本体の前端部に設けた取付孔にペン先を圧入保持してなるペン先取付構造に関する。本発明で、「前」とは、ペン先側を指し、「後」とは、その反対側を指す。
【０００２】
【従来の技術】
従来、この種のペン先取付構造において、ペン先の外面に設けた外段部が、取付孔の内面に設けた内段部に軸方向に当接され、且つ、ペン先の外面が取付孔の内面に径方向に圧入保持されるものが広く知られている。（例えば、特許文献１等）
【０００３】
【特許文献１】
実公昭６１−４２８５７号公報
【発明が解決しようとする課題】
前記従来のペン先取付構造は、ペン先外面の外段部とペン先先端との間の長手寸法、及び取付孔内面の内段部と取付孔の開口端との間の長手寸法の両者においてバラツキが生じた場合、ペン先の出長さ（即ち、ペン先先端から取付孔開口端までの長手寸法）のバラツキが大きくなり、ペン先の出長さの極端に大きいものや、ペン先の出長さの極端に小さいものが発生するおそれがある。その場合、筆記感や筆記具先端部の外観性が損なわれたり、あるいは内部にペン先当接部材（例えば、弾性材料よりなるペン先シール部材、多孔質含浸体等）を備えたキャップを筆記具本体のペン先側に装着する場合、前記ペン先当接部材とペン先との接触不良（即ち、ペン先との接触不足またはペン先との過剰接触）が発生するおそれがある。
【０００４】
本発明は前記従来の問題点を解決するものであって、ペン先の外段部の位置や取付孔の内段部の位置に、長手方向のバラツキが生じたとしても、ペン先の出長さのバラツキを抑え、それにより、筆記感や筆記具先端部の外観性が損なわれることを防止し、しかも、内部にペン先当接部材を備えたキャップを筆記具本体のペン先側に装着する場合には、前記ペン先当接部材とペン先との接触不良の発生を回避できるペン先取付構造を提供しようとするものである。さらに、本発明は、ペン先の出長さのバラツキを抑えることができるとともに、ペン先に後方への強い力が加わった場合でも、ペン先が後方に大きく埋没することを防止できるペン先取付構造を提供しようとするものである。
【０００５】
【課題を解決するための手段】
〔１〕本発明は、筆記具本体３の前端部に設けた取付孔２にペン先１を圧入保持してなるペン先取付構造であって、ペン先１の外面が、大径部１１と、該大径部１１の後方に設けた小径部１２と、該大径部１１と該小径部１２との間に設けた外段部１３とを備え、取付孔２の内面が、大径孔部２１と、該大径孔部２１の後方に設けた小径孔部２２と、該大径孔部２１と該小径孔部２２との間に設けた内段部２３とを備え、前記ペン先１の前記取付孔２への圧入保持が完了した際、前記外段部１３と前記内段部２３との間に軸方向の隙間Ｃを設け、前記外段部１３と前記内段部２３とを非当接状態にしてなること（請求項１）を要件とする。
【０００６】
前記請求項１（ペン先１を前記取付孔２に圧入保持した際、前記外段部１３と前記内段部２３との間に軸方向の隙間Ｃを設け、前記ペン先１の外段部１３と前記取付孔２の内段部２３とを非当接状態にすること）により、ペン先１先端から外段部１３までの長手寸法や、取付孔２の開口端から内段部２３までの長手寸法に、製造によりバラツキが生じたとしても、ペン先１を取付孔２に圧入保持した際、ペン先１の出長さＤのバラツキを抑えることができ、その結果、筆記感や筆記具先端部の外観性を損ねるおそれがなく、しかも、内部にペン先当接部材を備えたキャップを使用する場合、キャップをペン先側に装着した際の前記ペン先当接部材とペン先１との接触不良の発生を回避できる。
【０００７】
〔２〕前記請求項１のペン先取付構造において、前記隙間Ｃが０．１ｍｍ〜１．０ｍｍの範囲であること（請求項２）が好ましい。
【０００８】
前記隙間Ｃが０．１ｍｍ〜１．０ｍｍの範囲であること（請求項２）により、ペン先１の出長さＤのバラツキを十分に抑えることができ、且つ、ペン先１が後方に強い力で押圧されても、ペン先１が後方に大きく埋没することを回避できる。
【０００９】
前記隙間Ｃが０．１ｍｍより小さい場合、ペン先１の出長さＤのバラツキ（即ち、ペン先１先端から外段部までの長手寸法のバラツキ、及び取付孔２の開口端から内段部２３までの長手寸法のバラツキ）を十分に吸収することができない。また、前記隙間Ｃが１．０ｍｍより大きい場合、ペン先１が後方に強い力で押圧されると、ペン先１が後方に大きく埋没して、ペン先１の出長さＤを急激に大きく変化させ、ユーザーの筆記感を損ねるおそれがある。
【００１０】
本発明において、前記ペン先１は、少なくともその外面に、大径部１１と、小径部１２と、その間の外段部１３とを備えるものであれば、いずれであってもよい。前記ペン先１は、例えば、繊維束樹脂加工体、合成樹脂の多孔質体、合成樹脂の押出成形体、ボールペンペン先等が挙げられる。また、本発明の取付孔２は、少なくともその内面に、大径孔部２１と、小径孔部２２と、その間の内段部２３を備えるものであればよい。前記外段部１２及び前記内段部２３は、軸線に対し、垂直な面であっても傾斜した面であってもよい。前記筆記具本体３の取付孔２を設ける箇所は、例えば、軸筒の先端部や、軸筒の先端部に取り付けたペン先保持部材等が挙げられる。
【００１１】
本発明において、前記ペン先１の小径部１２は、取付孔２の小径孔部２２に挿入されるとともに、筆記具本体３内のインキ吸蔵体やインキタンクに接続される。前記ペン先１の大径部１１は、取付孔２の大径孔部２１に挿入される。
【００１２】
本発明において、前記ペン先１外面と前記取付孔２内面とが圧入保持される部分は、大径部１１と大径孔部２１、小径部１２と小径孔部２２のいずれか一方である場合、または、大径部１１と大径孔部２１、小径部１２と小径孔部２２の両方である場合が挙げられる。前記ペン先１外面と前記取付孔２内面とが圧入保持される部分は、ペン先１のスムーズな挿入取付性が得られる点で、大径部１１と大径孔部２１、小径部１２と小径孔部２２のいずれか一方である場合が好ましい。
【００１３】
本発明において、前記軸方向の隙間Ｃとは、外段部１３と内段部２３との非当接状態から、ペン先１を取付孔２に強く押し込んだ場合に、外段部１３と内段部２３とが当接する状態までの距離である。
【００１４】
本発明において、前記取付孔２内面の大径孔部２１や小径孔部２２に、軸方向に延びるリブや溝を設けたり、前記ペン先１外面の大径部１１や小径部１２に、軸方向に延びるリブや溝を設けてもよい。それにより、取付孔２内面とペン先１外面との間に筆記具本体３内部と外部とを連通する空気流通路を形成することができる。
【００１５】
【発明の実施の形態】
本発明の実施の形態を図面に従って説明する。
【００１６】
図１乃至図３に本発明の第１実施例を示す。
本実施例の筆記具は、ペン先１と、該ペン先１が取り付け可能な取付孔２を前端部に有する筆記具本体３（軸筒）と、該筆記具本体３内に収容され、前記ペン先１の後端部と接続されるインキ吸蔵体４とを備える。前記インキ吸蔵体４は、繊維集束体よりなり、その前端面にペン先１の小径部１２の後端が、突き刺し状に接続される。
【００１７】
前記ペン先１は、内部に軸方向のインキ導出路を備えた合成樹脂の押出成形体、または繊維束の樹脂加工体からなる。前記ペン先１はその外面に、研削加工により、前端の先細部１４と、該先細部１４から後方に連設される大径部１１と、該大径部１１より後方に連設される円錐面状の外段部１３と、該外段部１３より後方に連設される小径部１２とを備える。
【００１８】
前記取付孔２はその内面に、開口側の大径孔部２１と、該大径孔部２１から後方に連設される小径孔部２２とを備える。前記大径孔部２１と前記小径孔部２２との間には、軸線に対して垂直面状の内段部２３が形成される。
【００１９】
図２及び図３に示すように、前記大径孔部２１内面及び前記小径孔部２２内面には、軸方向に延びる複数本（具体的に６本）の溝２４が等間隔に配設される。前記大径孔部２１内面に、ペン先１の大径部１１外周面が圧入保持され、前記小径孔部２２に、ペン先１の小径部１２が遊挿される。前記溝２４により、前記大径部１１外面と大径孔部２１内面との間には、軸方向の空気流通路が形成される。図１の破線部分は溝２４の底部を示す。
【００２０】
前記ペン先１を前記取付孔２に挿入すると、前記小径部１２が前記小径孔部２２に挿入され、前記大径部１１が前記大径孔部２１に圧入保持される。前記ペン先１の取付孔２への圧入保持が完了した状態において、前記ペン先１の外段部１３と前記取付孔２の内段部２３との間には、軸方向の隙間Ｃが形成され、前記ペン先１の外段部１３と前記取付孔２の内段部２３とは、非当接状態となっている。具体的には、前記隙間Ｃは、０．１ｍｍ〜１．０ｍｍの範囲に設定される。その結果、ペン先１先端から外段部１３までの長手寸法や、取付孔２の開口端から内段部２３までの長手寸法に、バラツキが生じたとしても、取付孔２に取付後のペン先１の出長さＤのバラツキを抑えることができる。
【００２１】
即ち、ペン先１の圧入保持が完了した際、前記ペン先１の外段部１３と前記取付孔２の内段部２３とが、非当接状態にあるため、ペン先１を取付孔２に圧入する際、ペン先１の軸方向の押し込み量を一定にすれば、ペン先１の出長さＤを容易に一定にすることができる。したがって、従来のペン先取付構造（ペン先１の外段部１３が取付孔２の内段部２３に当接するまでペン先１を圧入するタイプ）に比べ、ペン先１の出長さＤのバラツキを格段に小さく抑えることができる。
【００２２】
図４に本発明の第２実施例を示す。
【００２３】
本実施例の筆記具は、第１実施例同様、ペン先１と、該ペン先１が取り付け可能な取付孔２を前端部に有する筆記具本体３と、該筆記具本体３内に収容され、前記ペン先１の後端部と接続されるインキ吸蔵体４とを備える。
【００２４】
前記ペン先１は、ボールペンペン先１である。詳細には、前端にボール１５を回転可能に抱持した金属製パイプ１６と、該金属製パイプ１６後部が圧入保持されるホルダー１７と、該金属製パイプ１６内に収容される中芯１８（合成樹脂の押出成形体）と、該中芯１８と接続され且つ前記ホルダー１７に保持されるインキ誘導芯１９（繊維束樹脂加工体）とからなる。前記インキ誘導芯１９の後端は、インキ吸蔵体４（繊維集束体）の前端と突き刺し接続される。
【００２５】
前記ホルダー１７の外面は、鍔状の大径部１１と、該大径部１１の後方に連設された小径部１２とを備える。前記大径部１１と前記小径部１２との間には、軸線に対して垂直面状の外段部１３が形成される。
【００２６】
前記取付孔２の内面は、大径孔部２１と、該大径孔部２１の後方に連設された小径孔部２２とを備える。前記大径孔部２１と前記小径孔部２２との間には、軸線に対して垂直面状の内段部２３が形成される。前記小径孔部２２の内面には、第１実施例同様、空気通路用の軸方向に延びる溝２４が形成される。図４の破線部分は前記溝２４の底部を示す。
【００２７】
前記ペン先１の取付孔２への圧入保持が完了した際、ペン先１の小径部１２が取付孔２の小径孔部２２に圧入保持されるとともに、ペン先１の大径部１１が取付孔２の大径孔部２１に遊挿されている。このとき、前記ペン先１の外段部１３と取付孔２の内段部２３との間には、軸方向の隙間Ｃ（具体的には、０．１ｍｍ〜１．０ｍｍ）が形成されている。それにより、ペン先１先端からペン先１の外段部１３までの長手寸法や、取付孔２の開口端から内段部２３までの長手寸法に、バラツキが生じたとしても、取付孔２へのペン先１の軸方向の押し込み量を一定量に管理することにより、ペン先取付後のペン先の出長さＤのバラツキを容易に抑えることができる。
【００２８】
【発明の効果】
請求項１により、ペン先先端から外段部までの長手寸法や、取付孔の開口端から内段部までの長手寸法に、製造バラツキが生じたとしても、ペン先を取付孔に圧入保持した後のペン先の出長さのバラツキを抑えることができ、その結果、筆記感や筆記具先端部の外観性が損なわれるおそれがなく、また、内部にペン先当接部材を備えたキャップを使用する場合、キャップをペン先側に装着した際の前記ペン先当接部材とペン先との接触不良の発生を回避できる。
【００２９】
請求項２により、ペン先の出長さのバラツキを十分に抑えることができ、且つ、ペン先が後方に強い力で押圧されてもペン先が後方に大きく埋没することを回避できる。
【００３０】
【図面の簡単な説明】
【図１】本発明の第１実施例を示す縦断面図である。
【図２】図１のＡ−Ａ線断面図である。
【図３】図１のＢ−Ｂ線断面図である。
【図４】本発明の第２実施例を示す縦断面図である。
【符号の説明】
１  ペン先
１１  大径部
１２  小径部
１３  外段部
１４  先細部
１５  ボール
１６  金属製パイプ
１７  ホルダー
１８  中芯
１９  インキ誘導芯
２  取付孔
２１  大径孔部
２２  小径孔部
２３  内段部
２４  溝
３  筆記具本体
４  インキ吸蔵体
Ｃ  隙間
Ｄ  ペン先の出長さ
【図１】
2004230686.tif 000003
【図２】
2004230686.tif 000004
【図３】
2004230686.tif 000005
【図４】
2004230686.tif 000006